(57)【要約】      （修正有）【課題】タッセルが首に絡まって幼児が死亡する事故を防ぐことができるカーテン用タッセルバンドを提供する。【解決手段】カーテン地を束ねるのに必要な長さを有するバンド本体４と、このバンド本体４の左右両端部にそれぞれ設けられたテープ２，３と、テープの根元部２１，３１及び先端部２２，３２に設けられた雌雄の係合具２３，２４；３３，３４を有するカーテン用タッセルバンドである。係合具２３，２４；３３，３４を接合又は分離することにより、テープ２，３のループの形成、解除を行う。係合具２３，２４；３３，３４は２、３歳の幼児が体重を掛ければ接合が外れる程度のものである。【選択図】図４
2015208386.tif 000002
【特許請求の範囲】
【請求項１】
カーテン地（５）を束ねるのに必要な長さを有するバンド本体（４）と、このバンド本体（４）の左右両端部にそれぞれ設けられたテープ（２，３）と、このテープの根元部（２１，３１）及び先端部（２２，３２）に設けられた雌雄の係合具（２３，２４；３３，３４）を有するカーテン用タッセルバンド（１）であって、
前記係合具（２３，２４；３３，３４）を接合又は分離することにより、ループを形成したり、解除したりすることができるものであること、及び
前記係合具（２３，２４；３３，３４）は２、３歳の幼児が体重を掛ければ接合が外れる程度のものであることを特徴とするカーテン用タッセルバンド。
【請求項２】
前記係合具（２３，２４；３３，３４）が、約８kgを超える負荷をかけたときに外れるものである請求項１記載のカーテン用タッセルバンド。
【請求項３】
前記係合具が、スナップボタン、面ファスナ、永久磁石のいずれかである請求項１または２記載のカーテン用タッセルバンド。
【請求項４】
前記バンド本体の左右両端部に前記テープが、上下方向に位置をずらして取り付けられている請求項１〜３のいずれかに記載のカーテン用タッセルバンド。
【発明の詳細な説明】
【技術分野】
【０００１】
本発明は、カーテンを開けたとき、端部に集まるカーテン地を整然と束ねるのに使用するタッセルバンドに関する。
【背景技術】
【０００２】
上記目的で使用するタッセルは一端又は両端にループを設けたバンドであることが普通である。このバンドのループを窓脇のフックにひっかけて大きな輪を作り、その中でカーテン地を束ねている。下記特許文献はそのようなタッセルバンドの一例である。
【先行技術文献】
【特許文献】
【０００３】
【特許文献１】特開平１０―２０１６０７
【発明の概要】
【発明が解決しようとする課題】
【０００４】
カーテンのタッセルやブラインドの紐が首に絡まって幼児が死亡するという事故がときどき報道される。米国消費者安全委員会（CPSC）によると、同国では1カ月に1人の乳幼児がタッセルによる事故で死亡しているそうである。死亡例の９０％以上が３歳未満の乳幼児との報告もある。
【０００５】
本発明は、タッセルの構造を改良することにより、そのような幼児の事故を減らすことを目的とする。
【課題を解決するための手段】
【０００６】
この目的を達成する本発明は、カーテン地を束ねるのに必要な長さを有するバンド本体と、このバンド本体の左右両端部にそれぞれ設けられたテープと、このテープの根元部及び先端部に設けられた雌雄の係合具を有するカーテン用タッセルバンドであって、前記係合具は接合又は分離することにより、ループを形成したり、解除したりすることができるものであること、及び、前記係合具は２、３歳の幼児が体重を掛ければ接合が外れる程度のものであることを特徴とする（請求項１）。
【０００７】
好ましくは、前記係合具は約８kgを超える負荷をかけたときに外れるものである（請求項２）。
【０００８】
前記係合具として、例えばスナップボタン、面ファスナ、永久磁石のいずれかを使用することができる（請求項３）。
【０００９】
また好ましくは、前記バンド本体の左右両端部に前記テープを取り付けるときに、上下方向に位置をずらして取り付ける（請求項４）。
【発明の効果】
【００１０】
請求項１の発明によれば、テープの係合具は２、３歳の幼児が体重を掛ければ接合が外れる程度のものであるので、幼児がタッセルに首を挟まれても容易に外れる。そのため、不慮の事故を防ぐことができる。
【００１１】
請求項２は、２、３歳の幼児が体重を掛ければ接合が外れる程度の負荷の目安である。様々な素材や構造の係合具を用いて実験を繰り返すことにより、さらに精緻な数字を得ることができるであろう。
【００１２】
請求項３は、係合具の実例である。
【００１３】
請求項４の発明によれば、窓際のフックにループを掛けるとき、バンドのテープ同士が邪魔し合わないので、掛けやすくなる。
【００１４】
以下、添付の図面に基づき、本発明の１実施例を説明する。
【図面の簡単な説明】
【００１５】
【図１】本発明の１実施例に係るタッセルを使用している状態の斜視図である。
【図２】同タッセルの（ａ）平面図、（ｂ）正面図、（ｃ）背面図である。
【図３】同タッセルの一端部の（ａ）拡大平面図、（ｂ）拡大正面図、（ｃ）拡大背面図である。図２における矢示部分に相当する。
【図４】同タッセルの雌雄係合具の断面図であり、（ａ）閉鎖した状態、（ｂ）開放した状態の断面図を示す。
【発明を実施するための形態】
【００１６】
図１に示すように、本実施例のタッセル１は、両端にループを設けたバンドである。バンド本体４は、上端が水平で、下端が緩やかな円弧を描いている。この実施例では長さは約４５cm、最大幅約７cmである。バンド本体４及びループの素材は、カーテン地５と同じ模様の布を使用して、調和を保っていることが多い。
【００１７】
図２、図３に示すように、ループはバンド本体の各端部に一端を固定したテープ２，３からなる。
【００１８】
図３の（ａ）（ｂ）を比較するとわかるように、バンド本体４とテープ２，３の固定位置がバンド本体４の左右で異なり、上下にずれている。このように位置を設定することにより、相互に邪魔し合わないので、窓脇のフック６（図１）にひっかけやすくなる。
【００１９】
このテープ２，３の根元部２１，３１及び先端部２２，３２には雌雄のスナップボタン２３，２４；３３，３４が設けられており、これらのボタンを接合又は分離することにより、ループを形成したり、解除したりすることができる。テープの幅は約６〜８mmであり、スナップボタンの直径は約４〜６mmである。
【００２０】
ここで使用しているスナップボタンは、「テーピー」（モリト株式会社の登録商標）として知られる合成樹脂製のスナップボタンである。このボタンの構造の詳細は例えば、特開昭６２―１５５８０５号、ヨーロッパ特許第２２８２９３号、等に記載されている。構造は公知であるが、ここで使用されているスナップボタンはサイズが非常に小さなものであるため、比較的わずかな荷重で簡単に係合が外れる。
【００２１】
本発明において重要なのは、幼児が誤ってタッセルに首を挟まれても、体重をかけて逃げようとすれば、雌雄部材の係合が外れてループがほどける程度のものを使用することである。２歳児の平均体重は１３kg、３歳児は１４kg程度であり、上半身が全体重の２／３程度を占めることを考慮すると、体重をかけたとき、スナップボタンが外れるものとするには８kg程度を超える負荷で外れるものとすることが好ましい。
【００２２】
この実施例では、小さなスナップボタンを使用したが、要は幼児の首が引っ掛かっても幼児が体重を掛ければループがほどけるものであれば、どのようなものでもよい。例えば、図示しないが、実施例１のスナップボタンの代わりに、接合面積の少ない面ファスナや永久磁石を使用することができる。
【符号の説明】
【００２３】
１     タッセル
２，３  テープ（ループ）
２１，３１    根元部
２２，３２    先端部
２３，２４    スナップボタン
２４，３４  スナップボタン
４     バンド本体
５     カーテン地
６     フック
【図１】
2015208386.tif 000003
【図２】
2015208386.tif 000004
【図３】
2015208386.tif 000005
【図４】
2015208386.tif 000006